(57)【特許請求の範囲】
【請求項１】
長手方向に沿う複数の経糸と幅方向に沿う複数の緯糸とが交互に交差して平織りされたガーゼ本体と、
このガーゼ本体に長手方向に沿って前記緯糸と交互に交差して配設された複数のＸ線造影糸を有するＸ線造影糸配設部とを備え、
前記Ｘ線造影糸配設部の幅方向外方には、複数の経糸が互いに隣接するように密に配設され前記Ｘ線造影糸に隣接する外側部が形成され、
前記Ｘ線造影糸配設部の幅方向内方には、前記Ｘ線造影糸間に前記外側部を形成する前記経糸の本数以下の複数の経糸が互いに隣接して密に配設され前記Ｘ線造影糸に隣接する中間部が形成され、
前記中間部の前記各経糸と前記Ｘ線造影糸との間にて、前記緯糸に前記Ｘ線造影糸の周囲に密着する密着部が形成されている
ことを特徴としたガーゼ。
【請求項２】
Ｘ線造影糸配設部は、３本以上のＸ線造影糸を有している
ことを特徴とした請求項１記載のガーゼ。
【発明の詳細な説明】
【技術分野】
【０００１】
本発明は、緯糸の表側と裏側とに交互に交差する複数のＸ線造影糸を備えたガーゼに関する。
【背景技術】
【０００２】
従来、例えば外科手術などで血液や体液を吸収させるために使用されるガーゼは、手術後に体内から取り除かれるが、手術時に血に染まってしまう場合が多いので、臓器などと区別し難しくなり、体内へ残してしまったまま縫合して手術を終了させてしまうおそれがある。
【０００３】
このため、手術の際には、Ｘ線造影糸が配設されたガーゼが使用されている。そして、このようなガーゼを使用することにより、手術をした後にＸ線撮影をすると、このガーゼに配設したＸ線造影糸をレントゲン写真に造影できるため、このガーゼの手術時の体内からの取り残しの有無を術後に容易に確認できる。
【０００４】
一般に、このようなガーゼとしては、ガーゼを構成する多数の構成糸中の１本を、例えば硫酸バリウムを含有するシリコーン系樹脂などからなるＸ線造影糸に置換してＸ線造影糸を織り込んだものがある。このガーゼにおいては、１本のＸ線造影糸と多数の経糸とが略等間隔に織り込まれ、また、多数の緯糸も、Ｘ線造影糸および多数の経糸と略直交する方向に略等間隔に織り込まれている。
【０００５】
しかしながら、このようなガーゼでは、医療行為中にガーゼからＸ線造影糸が容易に抜け落ちてしまうことがあった。
【０００６】
そこで、多数の経糸および多数の緯糸を構成糸とし、これら構成糸中の少なくとも１本をＸ線造影糸とし、このＸ線造影糸に対して略直交する方向に交差する構成糸を、１本置きにＸ線造影糸の表側と裏側とを交差してこのＸ線造影糸と接触させるとともに、Ｘ線造影糸に対して略平行な構成糸中のＸ線造影糸の両側に近接する複数本が、互いに接触しかつＸ線造影糸とも接触するように密に織り込まれている構成が知られている（例えば、特許文献１参照。）。
【特許文献１】特許第３６４８７２７号公報（第３−４頁、図２）
【発明の開示】
【発明が解決しようとする課題】
【０００７】
上述のガーゼでは、Ｘ線造影糸が抜け落ちにくくなるという一定の効果が得られる。
【０００８】
しかしながら、Ｘ線造影糸を視認しやすくするため、あるいは、Ｘ線撮影する際に確認し易くするためにＸ線造影糸の本数を増やすと、一般的に経糸あるいは緯糸よりもＸ線造影糸が太く硬いことにより、Ｘ線造影糸同士が隣接している部分にて緯糸との間に隙間が形成され易くなり、緯糸に対してずれが生じ易い。このため、このずれにより、密に織り込まれている部分の糸も広がってしまい、Ｘ線造影糸が抜け落ち易くなるおそれがあるという問題点を有している。
【０００９】
本発明は、このような点に鑑みなされたもので、Ｘ線造影糸の本数を増やしてもＸ線造影糸が抜け落ちにくいガーゼを提供することを目的とする。
【課題を解決するための手段】
【００１０】
請求項１記載のガーゼは、長手方向に沿う複数の経糸と幅方向に沿う複数の緯糸とが交互に交差して平織りされたガーゼ本体と、このガーゼ本体に長手方向に沿って前記緯糸と交互に交差して配設された複数のＸ線造影糸を有するＸ線造影糸配設部とを備え、前記Ｘ線造影糸配設部の幅方向外方には、複数の経糸が互いに隣接するように密に配設され前記Ｘ線造影糸に隣接する外側部が形成され、前記Ｘ線造影糸配設部の幅方向内方には、前記Ｘ線造影糸間に前記外側部を形成する前記経糸の本数以下の複数の経糸が互いに隣接して密に配設され前記Ｘ線造影糸に隣接する中間部が形成され、前記中間部の前記各経糸と前記Ｘ線造影糸との間にて、前記緯糸に前記Ｘ線造影糸の周囲に密着する密着部が形成されているものである。
【００１１】
請求項２記載のガーゼは、請求項１記載のガーゼにおいて、Ｘ線造影糸配設部は、３本以上のＸ線造影糸を有しているものである。
【発明の効果】
【００１２】
請求項１記載の発明によれば、緯糸と交互に交差する複数のＸ線造影糸を有するＸ線造影糸配設部の幅方向外方に、複数の経糸が互いに隣接するように密に配設してＸ線造影糸に隣接する外側部を形成するとともに、Ｘ線造影糸配設部の幅方向内方にてＸ線造影糸間に、外側部を形成する前記経糸の本数以下の複数の経糸を配設してＸ線造影糸に隣接する中間部を形成し、かつ、中間部の各経糸とＸ線造影糸との間にて、緯糸にＸ線造影糸の周囲に密着する密着部を形成することで、Ｘ線造影糸配設部のＸ線造影糸同士が隣接しないとともに、Ｘ線造影糸配設部のＸ線造影糸間において、緯糸がＸ線造影糸の周囲に、密着部を介してより確実に密着するので、これらＸ線造影糸間にてＸ線造影糸と緯糸との間に隙間がより生じにくくなり、Ｘ線造影糸が抜け落ちにくくなる。
【００１３】
請求項２記載の発明によれば、例えば手術中などにおける視認性が向上し、かつ、Ｘ線撮影による確認が容易になる。
【発明を実施するための最良の形態】
【００１４】
以下、本発明の第１の関連技術のガーゼの構成を図１および図２を参照して説明する。
【００１５】
図１および図２において、１は使い捨て用などのガーゼで、このガーゼ１は、例えば外科手術などの手術用や医療用として血液あるいは体液などを吸収させるために使用される。そして、このガーゼ１は、直線状の経糸２と緯糸３とが交互に平織りされて紡糸されて構成された衛生材料としてのガーゼ本体４を備えている。このガーゼ本体４には、Ｘ線撮影すなわちレントゲン撮影によるレントゲン写真に造影可能な複数、例えば２本のＸ線造影糸５が配設されて取り付けられたＸ線造影糸配設部６が形成されている。さらに、ガーゼ本体４のＸ線造影糸配設部６の幅方向の外方両側には、Ｘ線造影糸５，５のそれぞれに隣接する外側部７，７がそれぞれ形成されている。そして、ガーゼ本体４のＸ線造影糸配設部６の幅方向の内方には、Ｘ線造影糸５，５の双方に隣接する中間部８が形成されている。
【００１６】
経糸２および緯糸３のそれぞれは、例えば木綿や、レーヨンなどのセルロース繊維あるいはセルロース繊維とポリプロピレンあるいはポリエステルなどのプラスチック繊維との混合体などの素材で直線状に紡がれた糸状物に形成されている。
【００１７】
ガーゼ本体４は、長手方向に沿って略等間隔に離間されて配設された複数本の経糸２と、幅方向に沿って略等間隔に離間された複数本の緯糸３とが交互に交差して平織りされている。
【００１８】
Ｘ線造影糸５は、例えばＸ線造影剤とプラスチック樹脂とにより連続した一本の糸状に形成された糸状物であるとともに、レントゲン撮影時に確認されやすいように、ある程度の太さを有し、ガーゼ本体４の長手方向に沿って配設され、緯糸３と上下に交互に交差している。
【００１９】
ここで、Ｘ線造影剤としては、硫酸バリウムなどが素材として用いられている。また、プラスチック樹脂としては、ポリ塩化ビニル、ポリプロピレン、ポリエステル、ポリエチレン、ポリスチレンあるいはシリコーンなどが用いられている。
【００２０】
各外側部７は、複数、例えば４本の経糸11が互いに隣接するように密に配設され、Ｘ線造影糸配設部６に対向する経糸11がＸ線造影糸５に隣接している。
【００２１】
これら経糸11は、例えば経糸２と同様の材質で形成され、これら経糸２と同様にガーゼ本体４の長手方向に沿って配設され、緯糸３と互いに上下に交互に交差している。
【００２２】
中間部８は、例えば１本の経糸12により構成されている。この経糸12は、例えば経糸２，11と同様の材質で形成され、これら経糸２，11と同様にガーゼ本体４の長手方向に沿って配設され、緯糸３と上下に交互に交差している。また、この経糸12とＸ線造影糸５，５とは、緯糸３と上下に交互に交差している。したがって、経糸12とＸ線造影糸５，５との間において、緯糸３には、Ｘ線造影糸５，５の周囲に密着する密着部13，13がそれぞれ形成されている。
【００２３】
また、各Ｘ線造影糸５の両側部は、経糸11，12にそれぞれ隣接している。
【００２４】
なお、Ｘ線造影糸５および経糸11，12は、視認性向上のため、図面において便宜的に所定の模様を施しているが、この模様はＸ線造影糸５および経糸11，12の特定の材質を表すものではない。
【００２５】
次に、上記第１の関連技術の作用効果を説明する。
【００２６】
本関連技術では、緯糸３と交互に交差する２本のＸ線造影糸５を有するＸ線造影糸配設部６の幅方向外方に、４本の経糸11が互いに隣接するように密に配設してＸ線造影糸５に隣接する外側部７を形成するとともに、Ｘ線造影糸配設部６の幅方向内方にてＸ線造影糸５，５間に、１本の経糸12を配設してＸ線造影糸５に隣接する中間部８を形成する構成とした。
【００２７】
この結果、例えば互いに隣接する２本のＸ線造影糸全体に緯糸を交差させた場合、あるいは互いに隣接する２本のＸ線造影糸のそれぞれに交互に緯糸を交差させた場合では、経糸および緯糸よりもＸ線造影糸が太く硬いことにより、一方のＸ線造影糸から他方のＸ線造影糸に亘る位置にて緯糸がＸ線造影糸の周囲に密着せず、Ｘ線造影糸と緯糸との間に隙間が形成されやすかったのに対して、本関連技術では、Ｘ線造影糸配設部６のＸ線造影糸５，５間に経糸12が配設されてＸ線造影糸５，５同士が隣接しないから、Ｘ線造影糸５、経糸12およびＸ線造影糸５と順次交差する緯糸３が、経糸12からＸ線造影糸５に亘る位置にてＸ線造影糸５，５のそれぞれの周囲に密着する密着部13，13を形成し、これらＸ線造影糸５，５間にてＸ線造影糸５と緯糸３との間に隙間が生じにくくなるので、緯糸３によりＸ線造影糸５，５が確実に保持され、Ｘ線造影糸５がガーゼ本体４から抜け落ちにくくなる。
【００２８】
したがって、例えば手術などの医療行為中にガーゼ１からＸ線造影糸５が抜け落ちたりすることが抑制され、医療行為の作業性の向上が可能になる。
【００２９】
さらに、ガーゼ１の視認性が向上するので、例えば手術などの医療行為の際に、ガーゼ１を被手術者の体内などに残しにくくなるとともに、ガーゼ１を万一体内に残してしまった場合でも、レントゲン撮影によりガーゼ１を確認できるので、ガーゼ１の使い勝手が向上する。
【００３０】
次に、一実施の形態を図３および図４を参照して説明する。なお、上記第１の関連技術と同様の構成および作用については、同一符号を付してその説明を省略する。
【００３１】
この一実施の形態は、中間部８が複数、例えば２本の経糸12で構成されているものである。
【００３２】
ここで、中間部８を構成する経糸12は、２本以上の任意の本数とすることが可能であるが、経糸12の本数を増加しすぎると、この経糸12の使用本数が増加してガーゼ１が硬くなり、かつ、コストが増加するので、外側部７に使用する経糸11の本数以下と設定することが好ましい。
【００３３】
また、これら経糸12は、互いに隣接してガーゼ本体４の長手方向に沿って配設され、緯糸３に対して互いに交互に交差している。
【００３４】
さらに、各経糸とＸ線造影糸５との間において、緯糸３には、Ｘ線造影糸５の周囲に密着する密着部13がそれぞれ形成されている。
【００３５】
そして、このように構成することで、Ｘ線造影糸５，５間にて、緯糸３がＸ線造影糸５の周囲に、密着部13を介してより確実に密着し、Ｘ線造影糸配設部６のＸ線造影糸５，５間にてＸ線造影糸５と緯糸３との間に隙間がより生じにくく、Ｘ線造影糸５の抜け落ち防止効果を向上できる。
【００３６】
次に、第２の関連技術を図５および図６を参照して説明する。なお、上記第１の関連技術および一実施の形態と同様の構成および作用については、同一符号を付してその説明を省略する。
【００３７】
この第２の関連技術は、Ｘ線造影糸配設部６が、例えば３本のＸ線造影糸５を有し、互いに隣接するＸ線造影糸５，５間にそれぞれ中間部８を構成する例えば１本ずつの経糸12が配設されているものである。
【００３８】
すなわち、各経糸12は、ガーゼ本体４の長手方向に沿って配設され、緯糸３に対してそれぞれ交互に交差している。
【００３９】
また、Ｘ線造影糸５は、幅方向左右に位置するものがそれぞれ経糸11，12に隣接しているとともに、幅方向中央部に位置するものが経糸12，12に隣接している。
【００４０】
このため、緯糸３には、各経糸12とＸ線造影糸５，５間に、Ｘ線造影糸５，５のそれぞれの周囲に密着する密着部13，13が形成されている。
【００４１】
そして、このようにＸ線造影糸配設部６のＸ線造影糸５を３本とすることで、Ｘ線造影糸５が１本などの場合と比較して例えば手術中などにおけるガーゼ１の視認性が向上し、かつ、レントゲン撮影によるガーゼ１の確認が容易になる。
【００４２】
なお、上記第２の関連技術において、Ｘ線造影糸５は３本以上の任意の本数とすることが可能であるが、Ｘ線造影糸５は、経糸２，11，12および緯糸３と比較して太く硬いため、Ｘ線造影糸５の本数を増加しすぎると、ガーゼ１が硬くなり吸収性および風合いが損なわれるおそれがあり、かつ、コストが増加するので、それぞれのバランスを考慮して適宜設定する。
【００４３】
また、上記一実施の形態において、各外側部７の経糸11の本数は、２本以上であれば任意に設定でき、例えばＸ線造影糸５の強度が大きいものであれば、経糸11を５本以上密に配設することにより、Ｘ線造影糸５を破断させることなくＸ線造影糸５の抜け防止効果をより向上できる。
【図面の簡単な説明】
【００４４】
【図１】本発明の第１の関連技術のガーゼの要部を拡大して示す平面図である。
【図２】同上ガーゼを示す縦断面図である。
【図３】本発明の一実施の形態のガーゼの要部を拡大して示す平面図である。
【図４】同上ガーゼを示す縦断面図である。
【図５】本発明の第２の関連技術のガーゼの要部を拡大して示す平面図である。
【図６】同上ガーゼを示す縦断面図である。
【符号の説明】
【００４５】
１    ガーゼ
２，11，12    経糸
３    緯糸
４    ガーゼ本体
５    Ｘ線造影糸
６    Ｘ線造影糸配設部
７    外側部
８    中間部
13 密着部
【図１】
0004657041.tif 000002
【図２】
0004657041.tif 000003
【図３】
0004657041.tif 000004
【図４】
0004657041.tif 000005
【図５】
0004657041.tif 000006
【図６】
0004657041.tif 000007